(57)【特許請求の範囲】
【請求項１】
ネットワークに接続されている第１の医用画像装置を含み、第２の医用画像装置が前記ネットワークにおいて前記第１の医用画像装置に接続されることによって、前記第１の医用画像装置と前記第２の医用画像装置との間にてデータ通信が行われるネットワークシステムシステムであって、
前記第１の医用画像装置は、前記ネットワークに接続する接続部と、前記第１の医用画像装置の接続部が接続されたネットワークにデータを送信する送信部と、前記第１の医用画像装置の接続部が接続されたネットワークからデータを受信する受信部と、前記第１の医用画像装置と前記第２の医用画像装置とが通信可能かを判断する判断部と、前記第１の医用画像装置の接続部が接続されたネットワークから受信したデータを登録する登録部とを含み、
前記第２の医用画像装置は、前記ネットワークに接続する接続部と、前記第２の医用画像装置の接続部が接続されたネットワークにデータを送信する送信部と、前記当該第２の医用画像装置の接続部が接続されたネットワークからデータを受信する受信部と、前記第１の医用画像装置と前記第２の医用画像装置とが通信可能かを判断する判断部と、前記第２の医用画像装置の接続部が接続されたネットワークから受信したデータを登録する登録部とを含み、
前記ネットワークに前記第２の医用画像装置が接続した際に、前記第２の医用画像装置の前記送信部が、前記第１の医用画像装置の前記判断部と前記第２の医用画像装置の前記判断部とにネゴシエーションを行わせるデータおよび前記第２の医用画像装置の登録データとして第１のデータを送信し、前記第１の医用画像装置の前記受信部が、前記第１のデータを前記ネットワークにおいて受信し、前記第１の医用画像装置の前記判断部が前記第１のデータに基づいて前記第１の医用画像装置と第２の医用画像装置とが通信可能かを判断し、前記第１の医用画像装置の前記判断部の判断結果に基づいて、前記第１の医用画像装置の登録部が前記第２の医用画像装置の登録データを登録し、
前記第１の医用画像装置の前記送信部が、前記第１の医用画像装置の前記判断部の判断結果に基づいて、前記第１の医用画像装置の登録データとして第２のデータを送信し、前記第２の医用画像装置の前記受信部が前記第２のデータを前記ネットワークにおいて受信し、前記第２の医用画像装置の登録部が前記第２のデータを登録することによって、前記第１の医用画像装置と前記第２の医用画像装置とが前記ネットワークにおいて接続される
ネットワークシステム。
【請求項２】
前記第１のデータは、前記第２の医用画像装置のＩＰアドレス、ホストネーム又はクライアント情報であり、
前記第２のデータは、前記第１の医用画像装置のＩＰアドレス、ホストネーム又はサーバー情報である
請求項１に記載のネットワークシステム。
【請求項３】
前記第２の医用画像装置が前記ネットワークにおいて第１の医用画像装置と接続され、前記第２の医用画像装置の前記送信部が前記第１の医用画像装置の前記判断部と前記第２の医用画像装置の前記判断部とにネゴシエーションを行わせるデータとして第３のデータを前記ネットワークに送信している場合であって、
前記第２の医用画像装置が前記ネットワークから取り外されることにより、前記第１の医用画像装置の前記受信部が前記第３のデータを受信しなくなった場合、前記第１の医用画像装置の前記登録部に登録されている前記第２の医用画像装置の登録データを前記判断部が削除し、前記ネットワークにおける前記第１の医用画像装置と前記第２の医用画像装置との接続を切り離す
請求項１又は請求項２に記載のネットワークシステム。
【請求項４】
前記第２の医用画像装置の前記送信部は、前記第１のデータを一定の時間間隔で前記ネットワークに送信する
請求項３に記載のネットワークシステム。
【請求項５】
他の医用画像装置が接続しているネットワークにおいて、前記他の医用画像装置に接続する医用画像装置であって、
前記ネットワークに接続する接続部と、
前記接続部が接続されたネットワークにデータを送信する送信部と、
前記接続部が接続されたネットワークからデータを受信する受信部と
前記他の医用画像装置と通信可能かを判断する判断部と、
前記他の医用画像装置が接続しているネットワークから受信したデータを登録する登録部と
を含み、
前記ネットワークを介して前記接続部と前記他の医用画像装置とが接続された際に、前記送信部が、前記判断部と前記他の医用画像装置の判断部とにネゴシエーションを行わせるデータおよび医用画像装置の登録データとして第１のデータを前記ネットワークに送信し、
前記他の医用画像装置の判断部の判断に基づいて、前記他の医用画像装置が前記ネットワークに送信した前記他の医用画像装置の登録データとしての第２のデータを、前記受信部が前記ネットワークにおいて受信後、前記登録部が前記第２のデータを登録するように構成されている
医用画像装置。
【請求項６】
前記第１のデータは、前記医用画像装置のＩＰアドレス、ホストネーム又はクライアント情報であり、
前記第２のデータは、前記他の医用画像装置のＩＰアドレス、ホストネーム又はサーバー情報である
請求項５に記載のネットワークシステム。
【請求項７】
前記ネットワークにおいて前記他の医用画像装置と接続され、前記他の医用画像装置の送信部が、前記他の医用画像装置とネゴシエーションを行わせるデータとして第３のデータを前記ネットワークに送信している場合であって、
前記他の医用画像装置が前記ネットワークから取り外され、前記受信部が前記第３のデータを受信しなくなった場合、前記登録部に登録されている前記第２のデータを前記判断部が削除する
請求項５又は請求項６に記載の医用画像装置。
【請求項８】
前記送信部は、前記第１のデータを一定の時間間隔で前記ネットワークに送信する
請求項７に記載の医用画像装置。
【発明の詳細な説明】
【技術分野】
【０００１】
本発明は、ネットワークシステム（Ｎｅｔｗｏｒｋ  Ｓｙｓｔｅｍ）、および医用画像装置に関するものである。
【背景技術】
【０００２】
被検体の画像を撮影するために、医用画像撮影装置が用いられている。例えば、ＭＲ装置又はＣＴ装置などの医用画像撮影装置では、電磁波や放射線を照射することで身体の撮影部位断面のローデータ（Ｒａｗ  Ｄａｔａ）を収集し、このローデータを画像撮影装置のコンピュータ（ｃｏｍｐｕｔｅｒ）で再構成処理することによって、撮影部位の断面画像を再構成する。
【０００３】
これらのＣＴ装置、ＭＲＩ装置などの医用画像撮影装置、医用画像撮影装置で取得した医用画像を画像処理したり画像を保存するイメージサーバー（ｉｍａｇｅ  ｓｅｒｖｅｒ）、フィルム（Ｆｉｌｍ）にプリント（Ｐｒｉｎｔ）するイメージャー（ｉｍａｇｅｒ）、また医用画像を表示するイメージビュアー（ｉｍａｇｅ  ｖｉｅｗｅｒ）等の医用画像装置はネットワークに接続されている（例えば、特許文献１）。
【特許文献１】特開２００２-２８１２１０号（公報段落００２８参照）
【発明の開示】
【発明が解決しようとする課題】
【０００４】
しかし、これらの医用画像装置を新規にネットワークに接続したり、接続設定を変更したり、ネットワークから取り外した場合、その都度ネットワーク管理者がネットワークに接続されている他の医用画像装置に対して、医用画像装置の情報を登録・設定作業が必要であり、非常に煩雑な作業を要した。
【０００５】
したがって、本発明は、ネットワーク上で相互に接続される医用画像装置において相互の登録データの登録および削除を簡便に行うことができるネットワークシステム、医用画像装置を提供する。
【課題を解決するための手段】
【０００６】
本発明は、ネットワークに接続されている第１の医用画像装置を含み、第２の医用画像装置が前記ネットワークにおいて前記第１の医用画像装置に接続されることによって、前記第１の医用画像装置と前記第２の医用画像装置との間にてデータ通信が行われるネットワークシステムシステムであって、前記第１の医用画像装置は、前記ネットワークに接続する接続部と、前記第１の医用画像装置の接続部が接続されたネットワークにデータを送信する送信部と、前記第１の医用画像装置の接続部が接続されたネットワークからデータを受信する受信部とを含み、前記第２の医用画像装置は、前記ネットワークに接続する接続部と、前記第２の医用画像装置の接続部が接続されたネットワークにデータを送信する送信部と、前記当該第２の医用画像装置の接続部が接続されたネットワークからデータを受信する受信部とを含み、前記第２の医用画像装置の接続部がネットワークに接続された際に、前記第２の医用画像装置の送信部が第１のデータを前記ネットワークに送信するように構成されており、前記第１の医用画像装置は、前記第２の医用画像装置の送信部によって送信された第１のデータを、前記第１の医用画像装置の受信部が前記ネットワークにおいて受信後、前記第１の医用画像装置の受信部が受信した前記第１のデータに基づいて、前記第１の医用画像装置の送信部が前記ネットワークに第２のデータを送信するように構成されており、前記第１の医用画像装置の送信部が前記ネットワークに送信した前記第２のデータを、前記第２の医用画像装置の受信部が前記ネットワークにおいて受信することによって、前記第１の医用画像装置と前記第２の医用画像装置とが前記ネットワークにおいて接続される。
【０００７】
好適には、前記第１の医用画像装置は、前記第１の医用画像装置と前記第２の医用画像装置とが通信可能かを判断する判断部と、前記第１の医用画像装置の接続部が接続されたネットワークから受信したデータを登録する登録部とを含み、前記第２の医用画像装置は、前記第１の医用画像装置と前記第２の医用画像装置とが通信可能かを判断する判断部と、前記第２の医用画像装置の接続部が接続されたネットワークから受信したデータを登録する登録部を含み、前記ネットワークに前記第２の医用画像装置が接続した際に、前記第２の医用画像装置の前記送信部が、前記第１の医用画像装置の前記判断部と前記第２の医用画像装置の前記判断部とにネゴシエーションを行わせるデータおよび前記第２の医用画像装置の登録データとして前記第１のデータを送信し、前記第１の医用画像装置の前記受信部が、前記第１のデータを前記ネットワークにおいて受信し、前記第１の医用画像装置の前記判断部が前記第１のデータに基づいて前記第１の医用画像装置と第２の医用画像装置とが通信可能かを判断し、前記第１の医用画像装置の前記判断部の判断結果に基づいて、前記第１の医用画像装置の登録部が前記第２の医用画像装置の登録データを登録し、前記第１の医用画像装置の前記送信部が、前記第１の医用画像装置の前記判断部の判断結果に基づいて、前記第１の医用画像装置の登録データとして前記第２のデータを送信し、前記第２の医用画像装置の前記受信部が前記第２のデータを前記ネットワークにおいて受信し、前記第２の医用画像装置の登録部が前記第２のデータを登録することによって、前記第１の医用画像装置と前記第２の医用画像装置とが前記ネットワークにおいて接続される。
【０００８】
好適には、前記第２の医用画像装置が前記ネットワークにおいて第１の医用画像装置と接続され、前記第２の医用画像装置の前記送信部が前記第１の医用画像装置の前記判断部と前記第２の医用画像装置の前記判断部とにネゴシエーションを行わせるデータとして第３のデータを前記ネットワークに送信している場合であって、前記第２の医用画像装置が前記ネットワークから取り外されることにより、前記第１の医用画像装置の前記受信部が前記第３のデータを受信しなくなった場合、前記第１の医用画像装置の前記登録部に登録されている前記第２の医用画像装置の登録データを前記判断部が削除し、前記ネットワークにおける前記第１の医用画像装置と前記第２の医用画像装置との接続を切り離す。
【０００９】
好適には、前記第２の医用画像装置の前記送信部は、前記第１のデータを一定の時間間隔で前記ネットワークに送信する。
【００１０】
他の医用画像装置が接続しているネットワークにおいて、前記他の医用画像装置に接続する医用画像装置であって、前記ネットワークに接続する接続部と、前記接続部が接続されたネットワークにデータを送信する送信部と、前記接続部が接続されたネットワークからデータを受信する受信部とを含み、前記接続部がネットワークに接続された際に、前記送信部が第１のデータを前記ネットワークに送信し、前記他の医用画像装置によって送信された第２のデータを、前記受信部が前記ネットワークにおいて受信するように構成されている。
【００１１】
好適には、前記他の医用画像装置と通信可能かを判断する判断部と、前記他の医用画像装置が接続しているネットワークから受信したデータを登録する登録部とを含み、前記ネットワークにおいて前記他の医用画像装置と接続した際に、前記送信部が、前記判断部と前記他の医用画像装置の判断部とにネゴシエーションを行わせるデータおよび登録データとして前記第１のデータを前記ネットワークに送信し、前記他の医用画像装置の判断部の判断に基づいて、前記他の医用画像装置が前記ネットワークに送信した前記他の医用画像装置の登録データとしての第２のデータを、前記受信部が前記ネットワークにおいて受信後、前記登録部が前記第２のデータを登録するように構成されている。
【００１２】
好適には、前記ネットワークにおいて前記他の医用画像装置と接続され、前記他の医用画像装置の送信部が、前記他の医用画像装置とネゴシエーションを行わせるデータとして第３のデータを前記ネットワークに送信している場合であって、前記他の医用画像装置が前記ネットワークから取り外され、前記受信部が前記第３のデータを受信しなくなった場合、前記登録部に登録されている前記第２のデータを前記判断部が削除する。
【００１３】
好適には、前記送信部は、前記第１のデータを一定の時間間隔で前記ネットワークに送信する。
【発明の効果】
【００１４】
本発明によれば、ネットワーク上で相互に接続される医用画像装置において相互の登録データの登録および削除を簡便に行うことができるネットワークシステム、医用画像装置を提供することができる。
【発明を実施するための最良の形態】
【００１５】
以下より、本発明に係る一実施形態について図面を参照して説明する。
【００１６】
＜第１の実施形態＞
（装置構成）
図１は、本発明に係る一実施形態におけるネットワークシステムの構成を示す構成図である。図２は、本発明に係る一実施形態における新規に医用画像機器を接続した後のネットワークシステムの構成を示す構成図である。本装置は、本発明の実施形態の一例である。
図１に示すように、ネットワークシステム１０は、例えば、ＬＡＮ（Ｌｏｃａｌ  Ａｒｅａ  Ｎｅｔｗｏｒｋ）などのネットワークを介して医用画像機器２０であるＭＲスキャナー（ｓｃａｎｎｅｒ）２１ａ、ＣＴスキャナー２１ｂ、イメージサーバー（ｉｍａｇｅ  ｓｅｒｖｅｒ）２２、イメージャー（ｉｍａｇｅｒ）２３およびイメージビュアー（ｉｍａｇｅ  ｖｉｅｗｅｒ）２４ａとが相互に接続されているシステムである。
そして、図２に示すように、ネットワークシステム１０に、新規にイメージビュアー２４ｂが接続される。
ここで、ＭＲスキャナー２１ａ、ＣＴスキャナー２１ｂ、イメージサーバー２２、イメージャー２３およびイメージビュアー２４ａ、２４ｂは、本発明における医用画像機器２０の一例である。また、ＭＲスキャナー２１ａ、ＣＴスキャナー２１ｂ、イメージサーバー２２、イメージャー２３、イメージビュアー２４ａはサーバー（ｓｅｒｖｅｒ）であり、イメージビュアー２４ｂはクライアント（ｃｌｉｅｎｔ）である。
ここで、サーバーとは、一般的にネットワークを介して、情報提供等の各種サービスを提供する側のコンピュータを意味し、クライアントとは、一般的にネットワークを介して、前記サーバーと通信し、同サーバーからサービスの提供を受ける側のコンピュータを意味する。
また、本実施形態においては、イメージビュアー２４ｂを新規にネットワークシステム１０に接続するクライアントとしたが、ＭＲスキャナー２１ａ、ＣＴスキャナー２１ｂ、イメージサーバー２２、イメージャー２３またはイメージビュアー２４ａのうちいずれかがクライアントであってもよい。
【００１７】
以下よりネットワークシステム１０の構成要素について、順次、説明する。
【００１８】
本発明に係る一実施形態におけるネットワークは、データ通信用の構内ネットワークであり、例えば、病院に設置されている。そして、ネットワークを介して医用画像機器２０であるＭＲスキャナー２１ａ、ＣＴスキャナー２１ｂ、イメージサーバー２２、イメージャー２３、イメージビュアー２４ａとが相互に接続されて、ネットワークシステム１０を構成する。ネットワークは、例えば、一つのＬＡＮセグメント（ｓｅｇｍｅｎｔ）であってもよく、またゲートウェイまたはルータにより相互に接続された複数のＬＡＮセグメントであってもよい。さらに遠隔の病院のＬＡＮ同士を接続するワイドエリアネット（Ｗｉｄｅ  Ａｒｅａ  Ｎｅｔｗｏｒｋ）やインターネットであってもよい。
【００１９】
そして、ネットワークを介して接続されているＭＲスキャナー２１ａ、ＣＴスキャナー２１ｂ、イメージサーバー２２、イメージャー２３、イメージビュアー２４ａは、例えば、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）などの医用通信プロトコルにより相互に通信が可能となる。
【００２０】
ＭＲスキャナー２１ａ、ＣＴスキャナー２１ｂは、被検体の画像を撮影する装置である。
例えば、ＭＲスキャナー２１ａは、データ収集部で核磁気共鳴現象を利用して、被検体の断層画像を撮影する。すなわち、被検体がデータ収集部の静磁場が形成された撮影空間内に配置され、被検体のプロトン（ｐｒｏｔｏｎ）におけるスピンの方向を静磁場の方向へ整列させて、プロトンが磁化ベクトルを得た状態にする。その後、ＲＦコイルから共鳴周波数の電磁波を照射することにより、核磁気共鳴現象を発生させてプロトンの磁化ベクトルを変化させる。そして、元の磁化ベクトルに戻るプロトンからの磁気共鳴信号をＲＦコイルで受信し、撮影部位断面のローデータを得て、画像再構成部がローデータに対して各種の画像処理を実施して、被検体のスライス画像を生成する。
【００２１】
また、ＣＴスキャナー２１ｂは、データ収集部において、放射線発生源から被検体に放射線を照射し、その被検体を透過する放射線を検出することによって得られる投影データにより撮影部位断面のローデータを得て、画像再構成部がローデータに対して各種の画像処理を実施して、被検体のスライス画像を生成する。
【００２２】
イメージサーバー２２は、コンピュータと、そのコンピュータを用いて所定のデータ処理を実行するプログラムを記憶するメモリとを有する。イメージサーバー２２は、ＭＲスキャナー２１ａ、ＣＴスキャナー２１ｂが生成した断層画像データを保存するデータベースである。
【００２３】
イメージャー２３は、コンピュータと、そのコンピュータを用いて所定のデータ処理を実行するプログラムを記憶するメモリとを有する。イメージャー２３は、ＭＲスキャナー２１ａ、ＣＴスキャナー２１ｂによって出力された断層画像をハードコピーとして出力するプリンタであり、得られるハードコピーの画質や品質等の点で、銀塩写真感光材料を用いてプリントする画像記録方式が主に利用されている。
【００２４】
イメージビュアー２４ａおよび２４ｂは、ディスプレイ（ｄｉｓｐｌａｙ）などの表示デバイスにより構成されており、表示画面に画像を表示する。イメージビュアー２４ａおよび２４ｂは、例えば、オペレータによって操作部に操作データが入力される入力項目についての画像を表示画面に表示する。また、イメージビュアー２４ａおよび２４ｂは、画像再構成部が生成する被検体のスライス画像を表示する。
【００２５】
図３は、本発明に係る一実施形態における医用画像機器の構成の一部を示す構成図である。
図３に示すように、医用画像機器２０であるＭＲスキャナー２１ａ、ＣＴスキャナー２１ｂ、イメージサーバー２２、イメージャー２３、イメージビュアー２４ａおよび２４ｂは、接続部２０１、送信部２０２、受信部２０３、判断部２０４、登録部２０５、返信部２０６および制御部２０７とデータ取得部２０８とを少なくとも含む。
【００２６】
接続部２０１は、ネットワークシステム１０に医用画像機器２０を接続させる。接続部２０１は、例えばＵＳＢケーブルを介してネットワークシステム１０と接続されるＵＳＢコネクタと、ネットワークケーブルを介してネットワークシステム１０と接続されると、外部装置Ｄ３（システム機器）と接続されるシステム機器コネクタ２３とを有している。なお、ここでは３種類のコネクタを例示したが、これらの種類に限定されるものではない。また、コネクタ数も任意である。
【００２７】
送信部２０２は、後述の制御部２０７からの制御信号に基づき、他の医用画像機器２０に登録データなどのデータを送信する。例えば、図２に示すように、ネットワークシステム１０に新規に接続されたイメージビュアー２４ｂの送信部２０２は、接続されたネットワークシステム１０と同一のネットワークシステム１０に既に接続されているＭＲスキャナー２１ａ、ＣＴスキャナー２１ｂ、イメージサーバー２２、イメージャー２３、イメージビュアー２４ａに対して、例えば、イメージビュアー２４ｂの後述する判断部２０４にネゴシエーションを行わせるパケットや、ＭＲスキャナー２１ａ、ＣＴスキャナー２１ｂ、イメージサーバー２２、イメージャー２３、イメージビュアー２４ａに登録させるイメージビュアー２４ｂのＩＰアドレス（ＩＰ  Ａｄｄｒｅｓｓ）、ホストネーム（Ｈｏｓｔ  Ｎａｍｅ）、クライアント情報などの登録データを送信する。また、ネットワークを介して既に相互に接続されているＭＲスキャナー２１ａ、ＣＴスキャナー２１ｂ、イメージサーバー２２、イメージャー２３、イメージビュアー２４ａの送信部２０２は、例えば一定の時間間隔で、自己のＩＰアドレス、ホストネーム、サーバー情報などの登録データをネットワークに送信する。ここで、ネゴシエーションとは、例えば、ＭＲスキャナー２１ａとイメージビュアー２４ｂとの間で、通信速度や通信プロトコル等の通信設定を相互に情報交換しながら決定することである。また、パケットとは、ネットワークを流れる分割されたデータのことである。
【００２８】
受信部２０３は、後述の制御部２０７からの制御信号に基づき、他の医用画像機器２０の送信部２０２が送信した登録データなどのデータを受信する。例えば、図２に示すように、新規にネットワークシステム１０に接続されたイメージビュアー２４ｂの受信部２０３は、後述するＭＲスキャナー２１ａ、ＣＴスキャナー２１ｂ、イメージサーバー２２、イメージャー２３、イメージビュアー２４ａにおける返信部２０６それぞれが返信する、イメージビュアー２４ｂが送信したネゴシエーションを行わせるパケットやイメージビュアー２４ｂのＩＰアドレス、ホストネーム、クライアント情報などの登録データに対するＭＲスキャナー２１ａ、ＣＴスキャナー２１ｂ、イメージサーバー２２、イメージャー２３、イメージビュアー２４ａそれぞれのＩＰアドレス、ホストネーム、クライアント情報などの返信データを受信する。
また、ネットワークを介して既に相互に接続されているＭＲスキャナー２１ａ、ＣＴスキャナー２１ｂ、イメージサーバー２２、イメージャー２３、イメージビュアー２４ａの受信部２０３は、イメージビュアー２４ｂの送信部２０２が送信した、ＭＲスキャナー２１ａ、ＣＴスキャナー２１ｂ、イメージサーバー２２、イメージャー２３、イメージビュアー２４ａとイメージビュアー２４ｂとにネゴシエーションを行わせるパケットや、ＭＲスキャナー２１ａ、ＣＴスキャナー２１ｂ、イメージサーバー２２、イメージャー２３、イメージビュアー２４ａに登録させるイメージビュアー２４ｂのＩＰアドレス、ホストネーム、クライアント情報などの登録データを受信する。また、ネットワークを介して既に接続されているＭＲスキャナー２１ａ、ＣＴスキャナー２１ｂ、イメージサーバー２２、イメージャー２３、イメージビュアー２４ａそれぞれの送信部２０２が送信した、ＭＲスキャナー２１ａ、ＣＴスキャナー２１ｂ、イメージサーバー２２、イメージャー２３、イメージビュアー２４ａそれぞれにネゴシエーションを行わせるパケットを受信する。
【００２９】
判断部２０４は、コンピュータと、そのコンピュータを用いて所定の動作を実行させるプログラムを記憶するメモリとを有する。イメージビュアー２４ｂの送信部２０２が送信し、ＭＲスキャナー２１ａ、ＣＴスキャナー２１ｂ、イメージサーバー２２、イメージャー２３、イメージビュアー２４ａの受信部２０３が受信した、ＭＲスキャナー２１ａ、ＣＴスキャナー２１ｂ、イメージサーバー２２、イメージャー２３、イメージビュアー２４ａとイメージビュアー２４ｂとにネゴシエーションを行わせるパケット、即ち通信速度や通信プロトコル等の通信設定を相互に情報交換しながら決定させるパケットや、イメージビュアー２４ｂのＩＰアドレス、ホストネーム、クライアント情報などの登録データに基づいて、ＭＲスキャナー２１ａ、ＣＴスキャナー２１ｂ、イメージサーバー２２、イメージャー２３、イメージビュアー２４ａがサポートしている医用通信プロトコルを、イメージビュアー２４ｂがサポートしているかの判断を行う。
【００３０】
また、判断部２０４は、受信部２０３が受信したネゴシエーションを行わせるパケットに基づいて、他の医用画像機器２０の判断部２０４とネゴシエーションを行う。
【００３１】
また、例えば、ＭＲスキャナー２１ａの判断部２０４は、ＣＴスキャナー２１ｂ、イメージサーバー２２、イメージャー２３、イメージビュアー２４ａまたは２４ｂのいずれかの判断部２０４にネゴシエーションを行わせるパケットを受信部２０３が受信していないと判断した場合、登録部２０５に登録されている登録データの中から、受信していないと判断されたものの登録データを削除する。即ち判断部２０４は、登録されている他の医用画像機器２０の登録データの中から、データを受信していないと判断されたものの登録データを削除する。
【００３２】
登録部２０５は、データを記憶するメモリを有する。例えば、ＭＲスキャナー２１ａの登録部２０５は、ＣＴスキャナー２１ｂ、イメージサーバー２２、イメージャー２３、イメージビュアー２４ａの登録データなどのデータを登録する。また、例えばＭＲスキャナー２１ａの登録部２０５は、判断部２０４の判断に基づき、新規にネットワークシステム１０に接続されたイメージビュアー２４ｂの登録データなどのデータを登録する。即ち登録部２０５は、受信部２０３が受信した、他の医用画像機器２０の判断部２０４にネゴシエーションを行わせるパケットや、他の医用画像機器２０の登録データを登録する。
【００３３】
返信部２０６は、後述の制御部２０７からの制御信号に基づき、新規にネットワークシステム１０に接続されたイメージビュアー２４ｂの送信部２０２が送信したイメージビュアー２４ｂの登録データに対し、ＩＰアドレス、ホストネーム、クライアント情報などのデータをネットワークに返信する。
【００３４】
制御部２０７は、コンピュータと、そのコンピュータを用いて所定の動作を各部に実行させるプログラムを記憶するメモリとを有する。そして、制御部２０７は、操作部（不図示）に接続されており、操作部に入力された操作信号を処理し、各部に制御信号を出力し、各部の制御を行う。
【００３５】
データ取得部２０８は、データを記憶するメモリを有している。例えば、ＭＲスキャナー２１ａのデータ取得部２０８は、ＲＦコイルが受信する磁気共鳴信号を取得する。ＣＴスキャナー２１ｂのデータ取得部２０８は、Ｘ線検出器からの投影データを取得する。また、イメージャー２３、イメージビュアー２４ａ、２４ｂのデータ取得部２０８は、ＭＲスキャナー２１ａまたはＣＴスキャナー２１ｂにより画像再構成された被検体の画像データを取得する。
【００３６】
（動作）
以下より、本実施形態のネットワークシステム１０に新規にイメージビュアーを接続する際の動作について説明する。
図４は、本発明にかかる一実施形態において、ネットワークシステムに新規にイメージビュアーを接続した際の動作を示すフロー図である。以下、図４のフローチャートに沿って、図１および図２を参照して説明する。
【００３７】
まず、図４に示すように、ネットワークシステムにイメージビュアーを接続する（ＳＴ１１）。
【００３８】
ここでは、図１に示すネットワークシステム１０に、例えば、ネットワーク管理者が図２に示すように新規にイメージビュアー２４ｂを接続する。
【００３９】
次に、図４に示すように、新規に接続されたイメージビュアーがデータを送信する（ＳＴ２１）。
【００４０】
ここでは、図２に示すように、ステップＳＴ１０において新規にネットワークシステム１０に接続されたイメージビュアー２４ｂが、ネットワークを介して既に接続されているＭＲスキャナー２１ａ、ＣＴスキャナー２１ｂ、イメージサーバー２２、イメージャー２３、イメージビュアー２４ａにデータを送信する。
【００４１】
具体的には、イメージビュアー２４ｂの送信部２０２が、ＭＲスキャナー２１ａ、ＣＴスキャナー２１ｂ、イメージサーバー２２、イメージャー２３、イメージビュアー２４ａに、例えばイメージビュアー２４ｂの判断部２０４にネゴシエーションを行わせるパケットや、イメージビュアー２４ｂのＩＰアドレス、ホストネーム、クライアント情報などの登録データを、ネットワークを介して送信する。
【００４２】
次に、図４に示すように、スキャナー、イメージサーバー、イメージャーおよびイメージビュアーがデータを受信する（ＳＴ３１）。
【００４３】
ここでは、ステップＳＴ２１においてイメージビュアー２４ｂの送信部２０２が送信したデータを、ＭＲスキャナー２１ａ、ＣＴスキャナー２１ｂ、イメージサーバー２２、イメージャー２３およびイメージビュアー２４ａの受信部２０３がネットワークを介して受信する。
【００４４】
具体的には、イメージビュアー２４ｂから送信されたイメージビュアー２４ｂのデータ、例えば、イメージビュアー２４ｂの判断部２０４にネゴシエーションを行わせるパケットや、イメージビュアー２４ｂのＩＰアドレス、ホストネーム、クライアント情報などの登録データをＭＲスキャナー２１ａ、ＣＴスキャナー２１ｂ、イメージサーバー２２、イメージャー２３およびイメージビュアー２４ａの受信部２０３がネットワークを介して受信する。
【００４５】
次に、図４に示すように、イメージビュアーが医用通信プロトコルをサポートしているかを判断する（ＳＴ４１）。
【００４６】
ここでは、ステップＳＴ３１においてＭＲスキャナー２１ａ、ＣＴスキャナー２１ｂ、イメージサーバー２２、イメージャー２３、イメージビュアー２４ａそれぞれの受信部２０３が受信したデータに基づいて、イメージビュアー２４ｂが医用通信プロトコルをサポートしているかをＭＲスキャナー２１ａ、ＣＴスキャナー２１ｂ、イメージサーバー２２、イメージャー２３、イメージビュアー２４ａそれぞれの判断部２０４が判断する。
【００４７】
具体的には、ＭＲスキャナー２１ａ、ＣＴスキャナー２１ｂ、イメージサーバー２２、イメージャー２３、イメージビュアー２４ａそれぞれの受信部２０３が受信した、イメージビュアー２４ｂの判断部２０４にネゴシエーションを行わせるパケットや、イメージビュアー２４ｂのＩＰアドレス、ホストネーム、クライアント情報などの登録データに基づいて、ＭＲスキャナー２１ａ、ＣＴスキャナー２１ｂ、イメージサーバー２２、イメージャー２３、イメージビュアー２４ａがサポートしている医用通信プロトコルを、イメージビュアー２４ｂがサポートしているかをＭＲスキャナー２１ａ、ＣＴスキャナー２１ｂ、イメージサーバー２２、イメージャー２３、イメージビュアー２４ａそれぞれの判断部２０４が判断する。医用通信プロトコルは、例えばＤＩＣＯＭが挙げられる。ＭＲスキャナー２１ａ、ＣＴスキャナー２１ｂ、イメージサーバー２２、イメージャー２３、イメージビュアー２４ａがサポートしている医用通信プロトコルを、イメージビュアー２４ｂがサポートしているとそれぞれの判断部２０４が判断した（ＹＥＳ）場合は、次のステップＳＴ５１に進み、イメージビュアー２４ｂが医用通信プロトコルをサポートしていないとそれぞれの判断部２０４が判断した（ＮＯ）場合は、終了する。
【００４８】
次に、図４に示すように、スキャナー、イメージサーバー、イメージャーおよびイメージビュアーがデータを登録する（ＳＴ５１）。
【００４９】
ここでは、ステップＳＴ４１においてＭＲスキャナー２１ａ、ＣＴスキャナー２１ｂ、イメージサーバー２２、イメージャー２３、イメージビュアー２４ａそれぞれの判断部２０４が判断した結果に基づき、ＭＲスキャナー２１ａ、ＣＴスキャナー２１ｂ、イメージサーバー２２、イメージャー２３、イメージビュアー２４ａそれぞれの登録部２０５がイメージビュアー２４ｂの登録データを登録する。
【００５０】
具体的には、ＭＲスキャナー２１ａ、ＣＴスキャナー２１ｂ、イメージサーバー２２、イメージャー２３およびイメージビュアー２４ａそれぞれの判断部２０４が、イメージビュアー２４ｂが医用通信プロトコルをサポートしていると判断した場合、ＭＲスキャナー２１ａ、ＣＴスキャナー２１ｂ、イメージサーバー２２、イメージャー２３、イメージビュアー２４ａそれぞれの登録部２０５が、イメージビュアー２４ｂのＩＰアドレス、ホストネーム、クライアント情報などの登録データを登録する。
【００５１】
次に、図４に示すように、スキャナー、イメージサーバー、イメージャーおよびイメージビュアーがデータを返信する（ＳＴ６１）。
【００５２】
ここでは、ステップＳＴ４１においてＭＲスキャナー２１ａ、ＣＴスキャナー２１ｂ、イメージサーバー２２、イメージャー２３、イメージビュアー２４ａそれぞれの判断部２０４の判断に基づき、ＭＲスキャナー２１ａ、ＣＴスキャナー２１ｂ、イメージサーバー２２、イメージャー２３、イメージビュアー２４ａの返信部２０６がネットワークを介して、イメージビュアー２４ｂにデータを返信する。
【００５３】
具体的には、ＭＲスキャナー２１ａ、ＣＴスキャナー２１ｂ、イメージサーバー２２、イメージャー２３、イメージビュアー２４ａそれぞれの判断部２０４が、ＭＲスキャナー２１ａ、ＣＴスキャナー２１ｂ、イメージサーバー２２、イメージャー２３、イメージビュアー２４ａがサポートしている医用通信プロトコルをイメージビュアー２４ｂがサポートしていると判断した場合、ＭＲスキャナー２１ａ、ＣＴスキャナー２１ｂ、イメージサーバー２２、イメージャー２３、イメージビュアー２４ａそれぞれのＩＰアドレス、ホストネーム、サーバー情報などの登録データを、ＭＲスキャナー２１ａ、ＣＴスキャナー２１ｂ、イメージサーバー２２、イメージャー２３、イメージビュアー２４ａそれぞれの返信部２０６がネットワークを介してイメージビュアー２４ｂに返信する。
【００５４】
次に、図４に示すように、新規に接続されたイメージビュアーがデータを受信する（ＳＴ７１）。
【００５５】
ここでは、ステップＳＴ６１においてＭＲスキャナー２１ａ、ＣＴスキャナー２１ｂ、イメージサーバー２２、イメージャー２３およびイメージビュアー２４ａそれぞれの返信部２０６が返信したデータを、イメージビュアー２４ｂの受信部２０３が受信する。
【００５６】
具体的には、ＭＲスキャナー２１ａ、ＣＴスキャナー２１ｂ、イメージサーバー２２、イメージャー２３およびイメージビュアー２４ａそれぞれの返信部２０６が返信したそれぞれのＩＰアドレス、ホストネーム、サーバー情報などの登録データを、ネットワークを介してイメージビュアー２４ｂの受信部２０３が受信する。
【００５７】
次に、図４に示すように、新規に接続されたイメージビュアーがデータを登録する（ＳＴ８１）。
【００５８】
ここでは、ステップＳＴ７１においてイメージビュアー２４ｂの受信部２０３が受信した登録データをイメージビュアー２４ｂの登録部２０５が登録する。
【００５９】
具体的には、新規に接続されたイメージビュアー２４ｂにおける受信部２０３が受信した、ＭＲスキャナー２１ａ、ＣＴスキャナー２１ｂ、イメージサーバー２２、イメージャー２３、イメージビュアー２４ａそれぞれのＩＰアドレス、ホストネーム、サーバー情報などの登録データをイメージビュアー２４ｂの登録部２０５が登録する。
【００６０】
そして、ＭＲスキャナー２１ａ、ＣＴスキャナー２１ｂ、イメージサーバー２２、イメージャー２３、イメージビュアー２４ａそれぞれと、イメージビュアー２４ｂとがネットワークシステムを介して接続され、相互にデータ通信が可能となる。
【００６１】
以上のように、本発明の一実施形態は、医用画像機器２０であるＭＲスキャナー２１ａ、ＣＴスキャナー２１ｂ、イメージサーバー２２、イメージャー２３、イメージビュアー２４ａが接続されているネットワークシステム１０に、ネットワーク管理者が新規にイメージビュアー２４ｂを接続し、新規に接続されたイメージビュアー２４ｂの送信部２０２が、ネットワークを介してＭＲスキャナー２１ａ、ＣＴスキャナー２１ｂ、イメージサーバー２２、イメージャー２３、イメージビュアー２４ａにデータを送信する。そして、イメージビュアー２４ｂの送信部２０２から送信されたデータを、ＭＲスキャナー２１ａ、ＣＴスキャナー２１ｂ、イメージサーバー２２、イメージャー２３、イメージビュアー２４ａの受信部２０３が受信する。そして、ＭＲスキャナー２１ａ、ＣＴスキャナー２１ｂ、イメージサーバー２２、イメージャー２３、イメージビュアー２４ａの受信部２０３が受信したデータに基づいて、ＭＲスキャナー２１ａ、ＣＴスキャナー２１ｂ、イメージサーバー２２、イメージャー２３、イメージビュアー２４ａがサポートしている医用通信プロトコルを、イメージビュアー２４ｂがサポートしているかをＭＲスキャナー２１ａ、ＣＴスキャナー２１ｂ、イメージサーバー２２、イメージャー２３、イメージビュアー２４ａそれぞれの判断部２０４が判断する。そして、ＭＲスキャナー２１ａ、ＣＴスキャナー２１ｂ、イメージサーバー２２、イメージャー２３、イメージビュアー２４ａの判断部２０４の判断に基づき、ＭＲスキャナー２１ａ、ＣＴスキャナー２１ｂ、イメージサーバー２２、イメージャー２３、イメージビュアー２４ａの登録部２０５がイメージビュアー２４ｂの登録データを登録する。そして、ＭＲスキャナー２１ａ、ＣＴスキャナー２１ｂ、イメージサーバー２２、イメージャー２３、イメージビュアー２４ａの返信部２０６がデータを返信する。そして、ＭＲスキャナー２１ａ、ＣＴスキャナー２１ｂ、イメージサーバー２２、イメージャー２３、イメージビュアー２４ａそれぞれの返信部２０６が返信したデータを、イメージビュアー２４ｂの受信部２０３が受信する。そして、イメージビュアー２４ｂの受信部２０３が受信したデータを、イメージビュアー２４ｂの登録部２０５が登録する。そして、ＭＲスキャナー２１ａ、ＣＴスキャナー２１ｂ、イメージサーバー２２、イメージャー２３およびイメージビュアー２４ａそれぞれと、イメージビュアー２４ｂとがネットワークを介して接続され、データ通信が可能となる。
【００６２】
このように、ネットワークシステム１０に接続されているＭＲスキャナー２１ａ、ＣＴスキャナー２１ｂ、イメージサーバー２２、イメージャー２３、イメージビュアー２４ａと、同一のネットワークシステム１０に新規に接続されたイメージビュアー２４ｂとがネゴシエーションを行わせるパケットや、ＩＰアドレス、ホストネーム、サーバー情報などの登録データの送受信を行うことにより、新規に接続されたイメージビュアー２４ｂの登録データをＭＲスキャナー２１ａ、ＣＴスキャナー２１ｂ、イメージサーバー２２、イメージャー２３、イメージビュアー２４ａの登録部２０５に簡便に登録させることができる。
【００６３】
次に、イメージビュアー２４ｂが、ネットワークを介してＭＲスキャナー２１ａ、ＣＴスキャナー２１ｂ、イメージサーバー２２、イメージャー２３、イメージビュアー２４ａに接続された後に、ネットワークシステム１０からイメージビュアー２４ｂが切り離される際の動作について説明する。
図５は、本発明にかかる一実施形態において、ネットワークを介して接続されているイメージビュアーをネットワークシステムから切り離す際の動作を示すフロー図である。以下、図５のフローチャートに沿って、図１および図２を参照して説明する。
【００６４】
まず、図５に示すように、ネットワークシステムからイメージビュアーを取り外す（ＳＴ９１）。
【００６５】
ここでは、図２に示すようにネットワークを介してＭＲスキャナー２１ａ、ＣＴスキャナー２１ｂ、イメージサーバー２２、イメージャー２３、イメージビュアー２４ａと接続されているイメージビュアー２４ｂを、例えば、ネットワーク管理者が図１に示すようにネットワークシステム１０から取り外す。
【００６６】
次に、図５に示すように、スキャナー、イメージサーバー、イメージャーおよびイメージビュアーがデータを受信しているかを判断する（ＳＴ１０１）。
【００６７】
ここでは、ネットワークを介して接続されているＭＲスキャナー２１ａ、ＣＴスキャナー２１ｂ、イメージサーバー２２、イメージャー２３、イメージビュアー２４ａのそれぞれの受信部２０３が、イメージビュアー２４ｂの送信部２０２から送信されたデータを受信しているかをそれぞれの判断部２０４が判断する。
【００６８】
具体的には、ネットワークを介して接続されているＭＲスキャナー２１ａ、ＣＴスキャナー２１ｂ、イメージサーバー２２、イメージャー２３、イメージビュアー２４ａの受信部２０３が、イメージビュアー２４ｂの送信部２０２から送信された、例えばＭＲスキャナー２１ａ、ＣＴスキャナー２１ｂ、イメージサーバー２２、イメージャー２３、イメージビュアー２４ａとイメージビュアー２４ｂとにネゴシエーションを行わせるパケットなどのデータを一定の時間間隔で受信しているかを判断部２０４が判断する。
受信部２０３が一定の時間間隔でデータを受信していないと判断部２０４が判断した場合（ＮＯ）には、次のステップＳＴ１１１に進む。
受信部２０３が一定の時間間隔でデータを受信していると判断部２０４が判断した場合（ＹＥＳ）には、継続して受信部２０３がデータを受信する。
【００６９】
次に図５に示すように、イメージビュアーの登録データを削除する（ＳＴ１１１）。
【００７０】
ここでは、ＭＲスキャナー２１ａ、ＣＴスキャナー２１ｂ、イメージサーバー２２、イメージャー２３、イメージビュアー２４ａが一定の時間間隔でデータを受信しない場合、ＭＲスキャナー２１ａ、ＣＴスキャナー２１ｂ、イメージサーバー２２、イメージャー２３、イメージビュアー２４ａそれぞれの登録部２０５に登録されているイメージビュアー２４ｂの登録データを判断部２０４が削除する。
【００７１】
具体的には、ＭＲスキャナー２１ａ、ＣＴスキャナー２１ｂ、イメージサーバー２２、イメージャー２３、イメージビュアー２４ａの受信部２０３が一定の時間間隔で、ＭＲスキャナー２１ａ、ＣＴスキャナー２１ｂ、イメージサーバー２２、イメージャー２３、イメージビュアー２４ａとイメージビュアー２４ｂとにネゴシエーションを行わせるパケットなどのデータを受信しない場合、イメージビュアー２４ｂがネットワークシステム１０から取り外されているものとして、ＭＲスキャナー２１ａ、ＣＴスキャナー２１ｂ、イメージサーバー２２、イメージャー２３、イメージビュアー２４ａそれぞれの登録部２０５に登録されているイメージビュアー２４ｂのＩＰアドレス、ホストネーム、クライアント情報などの登録データを、ＭＲスキャナー２１ａ、ＣＴスキャナー２１ｂ、イメージサーバー２２、イメージャー２３、イメージビュアー２４ａそれぞれの判断部２０４が削除する。
【００７２】
そして、ＭＲスキャナー２１ａ、ＣＴスキャナー２１ｂ、イメージサーバー２２、イメージャー２３およびイメージビュアー２４ａと、イメージビュアー２４ｂとのネットワークを介した接続が切り離される。
【００７３】
以上のように、本発明の一実施形態は、ネットワークシステム１０に接続されているイメージビュアー２４ｂを、ネットワーク管理者が取り外す。そして、イメージビュアー２４ｂの送信部２０２からのデータを、ＭＲスキャナー２１ａ、ＣＴスキャナー２１ｂ、イメージサーバー２２、イメージャー２３、イメージビュアー２４ａの受信部２０３が受信しているかを判断部２０４が判断する。そして、ＭＲスキャナー２１ａ、ＣＴスキャナー２１ｂ、イメージサーバー２２、イメージャー２３、イメージビュアー２４ａの受信部２０３がデータを受信しない場合、イメージビュアー２４ｂのデータ、例えば、ＩＰアドレス、ホストネーム、サーバー情報などの登録データをＭＲスキャナー２１ａ、ＣＴスキャナー２１ｂ、イメージサーバー２２、イメージャー２３、イメージビュアー２４ａの登録部２０５から削除する。
【００７４】
このように、ネットワークシステム１０に接続されているイメージビュアー２４ｂが送信するデータを、ネットワークを介して接続されているＭＲスキャナー２１ａ、ＣＴスキャナー２１ｂ、イメージサーバー２２、イメージャー２３、イメージビュアー２４ａが受信している場合において、ＭＲスキャナー２１ａ、ＣＴスキャナー２１ｂ、イメージサーバー２２、イメージャー２３、イメージビュアー２４ａの受信部２０３が、一定の時間間隔でイメージビュアー２４ｂの送信部２０２が送信するデータを受信しない場合には、ナットワークにイメージビュアー２４ｂが存在しないとして、ネットワークシステム１０上からイメージビュアー２４ｂの登録データの削除を簡便に行うことができる。
【００７５】
なお、本発明の実施に際しては、上記した実施形態に限定されるものではなく、種々の変形形態を採用することができる。
【００７６】
本発明の実施形態において、新規に接続されたイメージビュアー２４ｂは、イメージビュアーであるが、これには限定されず、ＭＲスキャナー２１ａ、ＣＴスキャナー２１ｂ、イメージサーバー２２、イメージャー２３、イメージビュアー２４ａである他の医用画像機器２０であってもよい。
また、本発明の実施形態において、ネットワークシステム１０に既に接続されている医用画像機器２０を５つとしているが、これには限定されず、１つ以上の医用画像機器２０がネットワークシステム１０に接続されていればよい。
また、本発明の実施形態において、ネットワークシステム１０に接続されているイメージビュアー２４ｂから送信されるデータは一定の時間間隔で送信されるが、これには限定されず、時間間隔は一定でなくてもよい。例えば、１日に１回、また１週間に１回の間隔でデータを送信してもよい。
また、本発明の実施形態において、イメージビュアー２４ｂを新規にネットワークシステム１０に接続するクライアントとしたが、ＭＲスキャナー２１ａ、ＣＴスキャナー２１ｂ、イメージサーバー２２、イメージャー２３またはイメージビュアー２４ａのうちいずれかがクライアントであってもよい。
【図面の簡単な説明】
【００７７】
【図１】図１は、本発明に係る一実施形態におけるネットワークシステムの構成を示す構成図である。
【図２】図２は、本発明に係る一実施形態における新規に医用画像機器を接続した後のネットワークシステムの構成を示す構成図である。
【図３】図３は、本発明に係る一実施形態における医用画像機器の構成を示す構成図である。
【図４】図４は、本発明にかかる一実施形態において、ネットワークシステムに新規にイメージビュアーを接続した際の動作を示すフロー図である。
【図５】図５は、本発明にかかる一実施形態において、ネットワークを介して接続されているイメージビュアーをネットワークシステムから切り離す際の動作を示すフロー図である。
【符号の説明】
【００７８】
１０：ネットワークシステム    ２０：医用画像機器    ２１：スキャナー    ２２：イメージサーバー    ２３：イメージャー    ２４：イメージビュアー    ２０１：接続部    ２０２：送信部    ２０３：受信部    ２０４：判断部    ２０５：登録部    ２０６：返信部    ２０７：制御部  ２０８：データ取得部
【図１】
0005373290.tif 000002
【図２】
0005373290.tif 000003
【図３】
0005373290.tif 000004
【図４】
0005373290.tif 000005
【図５】
0005373290.tif 000006